(57)【要約】    【課題】  本発明の目的は、温泉を熱交換技術によって減温することにより温泉成分を希釈することなく浴槽へ供給できると共に、源泉からの温泉の供給配管から熱交換チューブ及び浴槽までの温泉供給配管に付着した温泉成分が竪固に硬化しないうちに適宜洗浄することができる源泉減温システムを提供することにある。    【解決手段】  本発明は、汲み上げられた高温の源泉からの温泉によって冷却水を加熱し温水を製造すると共に前記源泉を浴槽への供給温度まで減温する熱交換器と、前記冷却水を前記熱交換器に供給する冷却水供給配管と、前記熱交換器に前記温泉を供給すると共に前記熱交換器と前記浴槽とを接続する温泉供給配管と、前記熱交換器及び温泉供給配管の各配管内に付着した付着物を除去する洗浄装置とを有し、前記減温された前記温泉を前記浴槽に供給することを特徴とする源泉減温システムにある。【選択図】  図１
2005221190.tif 000002
【特許請求の範囲】
【請求項１】
汲み上げられた高温の源泉からの温泉によって冷却水を加熱し温水を製造すると共に前記温泉を浴槽への供給温度まで減温する熱交換器と、前記冷却水を前記熱交換器に供給する冷却水供給配管と、前記熱交換器に前記温泉を供給すると共に前記熱交換器と前記浴槽とを接続する温泉供給配管と、前記熱交換器及び温泉供給配管の各配管内に付着した付着物を除去する洗浄装置とを有し、前記減温された前記温泉を前記浴槽に供給することを特徴とする源泉減温システム。
【請求項２】
請求項１において、前記浴槽への前記温泉の供給と前記付着物を有する前記温泉の前記浴槽外への排出とを切り替える方向切替弁が前記温泉供給配管の前記浴槽への供給側に設けられていることを特徴とする源泉減温システム。
【請求項３】
請求項１又は２において、前記洗浄装置は、前記熱交換器を経て前記浴槽までの間に接続された前記温泉に供給された配管内面で摺動摩擦を発生させる柔軟性固形物と共に循環させる洗浄循環水ポンプと、該洗浄循環水ポンプの吐出側に設けられた前記固形物を回収する回収器と、該回収器の吐出側を前記温泉供給ポンプの吐出側配管へ接続する循環配管と、前記固形物が前記浴槽側への流失を阻止するセパレータと、該セパレータと前記浴槽との間に設けられた前記方向切替弁とを有することを特徴とする源泉減温システム。
【請求項４】
請求項１〜３のいずれかにおいて、前記固形物が樹脂製スポンジボールであり、前記回収器がスポンジボール回収器及び前記セパレータがボールセパレータであことを特徴とする源泉減温システム。
【発明の詳細な説明】
【技術分野】
【０００１】
本発明は、新規な源泉減温システムに関する。
【背景技術】
【０００２】
従来、高温の源泉からの温泉は水で薄めるか時間を掛けて放熱させており、極めて非能率的である。また、水で薄める場合は温泉の有効成分が希釈され、折角の温泉効用が低下する。そこで、特許文献１では、熱交換技術を用いて減温する方法が提案されている。
【０００３】
又、特許文献２においては、ボール式洗浄装置を用いて浴槽から排出された温排水を熱交換器によって地下水を加熱し温水として上がり湯及び浴槽に供給すると共に、ボール式洗浄装置を用いて熱交換器を洗浄することが示されている。
【０００４】
【特許文献１】特開平9-14750号公報
【特許文献２】特開2003-130454号公報
【発明の開示】
【発明が解決しようとする課題】
【０００５】
しかし、特許文献１では、熱交換チューブや温泉供給配管の硫黄や炭酸カルシウム等の温泉成分を除去することは考慮されていない。従って、温泉を熱交換技術によって減温する場合、熱交換チューブや温泉供給配管内への温泉成分の付着が酷く、又、浴湯を汚さずに配管内を洗浄できる方法がなかった。即ち、熱交換チューブや温泉供給配管には硫黄や炭酸カルシウム等の温泉成分が付着し、配管の内径を狭め、特にこの成分濃度の濃い地域では半年毎に配管の取替えを要する場合があった。しかも、従来の対策手段では、清掃時ないし清掃後、付着物の一部が残存脱落して浴槽に混入するという問題があった。
【０００６】
又、特許文献２においては、源泉からの温泉を熱交換技術によって減温すること、更に熱交換チューブや温泉供給配管に硫黄や炭酸カルシウム等の温泉成分が付着すると共に配管の内径を狭めることも、又、それらを除去することも全く考慮されていない。
【０００７】
本発明の目的は、温泉を熱交換技術によって減温することにより温泉成分を希釈することなく浴槽へ供給できると共に、源泉からの温泉の供給配管から熱交換チューブ及び浴槽までの温泉供給配管に付着した温泉成分が竪固に硬化しないうちに適宜洗浄することができる源泉減温システムを提供することにある。
【課題を解決するための手段】
【０００８】
本発明は、汲み上げられた高温の源泉からの温泉によって冷却水を加熱し温水を製造すると共に前記源泉を浴槽への供給温度まで減温する熱交換器と、前記冷却水を前記熱交換器に供給する冷却水供給配管と、前記熱交換器に前記温泉を供給すると共に前記熱交換器と前記浴槽とを接続する温泉供給配管と、前記熱交換器及び温泉供給配管の各配管内に付着した付着物を除去する洗浄装置とを有し、前記減温された前記温泉を前記浴槽に供給することを特徴とする源泉減温システムにある。
【０００９】
又、本発明は、源泉からの温泉を一時的に貯蔵する温泉槽を有し、この温泉槽から熱交換器を経て浴槽までの温泉を供給する配管内に付着した付着物を除去する洗浄装置を有すること、更に、浴槽への温泉の供給と付着物を有する温泉の浴槽外への排出とを切り替える方向切替弁が温泉供給配管の浴槽への供給側に設けられていることが好ましい。
【００１０】
前述の洗浄装置は、熱交換器を経て浴槽までの間に接続された温泉に供給された配管内面で摺動摩擦を発生させる柔軟性固形物と共に循環させる洗浄循環水ポンプと、洗浄循環水ポンプの吐出側に設けられた柔軟性固形物を回収する回収器と、回収器の吐出側を温泉供給ポンプの吐出側配管へ接続する循環配管と、柔軟性固形物が浴槽側に流失することを阻止するセパレータと、セパレータと浴槽との間に設けられた方向切替弁とを有することが好ましい。
【００１１】
その柔軟性固形物がやや硬めの樹脂製スポンジボールであり、回収器がスポンジボール回収器であり、セパレータがボールセパレータであることが好ましい。
【００１２】
より具体的には、本発明は、以下に示す“減温システム”と、減温システムを構成する熱交換換器のチューブや温泉供給配管の汚れを洗浄する“洗浄システム”とのシステムコンビネーション方式から成るものである。
【００１３】
本発明の源泉減温システムにおいては、源泉ポンプで汲み上げられた高温の源泉は一旦温泉槽へ貯えられる。次いで、浴槽への供給温度まで減温するため熱交換換器を用い、地下水を冷却水として用いて減温し、しかる後、減温した適温の温泉が浴槽へ供給される。一方、冷却水として働いた地下水は、温泉槽から供給された高温の熱水との熱交換換によって昇温され、一時的に畜熱水槽に貯えられ、必要に応じて貯湯槽を経てカランやシャワー等に用いられる。
【００１４】
また、地下水は、好ましくは、冷却水ポンプからストップバルブ及びバイパス配管を設けて分岐し、地下水を直接貯湯槽へ供給することができる。そして、地下水を汲み上げる冷却水ポンプは、好ましくは、保守用ストップバルブ及び流量調整弁を介して、熱交換換器へ冷却水を供給する。更に、好ましくは、放熱等により貯湯槽の温度が下がり過ぎた場合や、更なる高温が必要な場合、ボイラーヘの循環回路を設け、貯湯槽への追い炊き昇温を可能にした。
【００１５】
又、本発明の洗浄システムにおいては、減温システムを構成する熱交換換器のチューブや温泉供給配管内に付着した温泉成分のふわふわした固形物をスポンジボールを用いて洗浄するものである。先ず、洗浄循環ポンプの吐出側に設けたスポンジボール回収器から循環配管を温泉供給ポンプの吐出側配管へ接続する。熱交換換器を経由し、温泉供給配管の最先端部において、スポンジボールが浴槽側に流失することを阻止するボールセパレータと方向切替弁とを設け、ボールセパレータにて給湯の流れから分離されたスポンジボールを、洗浄循環ポンプの吸込口へ回送できる循環配管を接続することで、洗浄回路を構成したことを特徴とする。
【００１６】
従って、本発明の洗浄システムは、スポンジボール回収器ないし洗浄回路内に封じ込めたスポンジボールを、セパレータにて循環配管側に回送し、温泉流体のみを方向切替弁の操作で浴槽側に給湯、また、場合によって排湯することが可能で、更に、熱交換チューブ及び温泉供給配管の全長に亘り流体の運動エネルギーに乗じて一定時間スポンジボールを循環させ、スポンジボールによって配管内面に摺動摩擦を発生させることにより、配管内面に付着した硫黄や炭酸カルシウム等の温泉成分をしごき落とすことができる。
【００１７】
又、本発明においては、洗浄循環回路内に封じ込めたスポンジボールを、方向切替弁をブロックし、洗浄循環ポンプによる流体の運動エネルギーにて循環させ、スポンジボールと熱交換チューブ又は温泉供給配管内面に摺動摩擦を発生させることにより、チューブや配管内面に付着した温泉成分をしごき落とすことができる。しかも、洗浄作業を簡単な押しボタン操作で実施できるようにすることにより、付着した温泉成分が堅固に硬化しないうちに適宜に行ない、容易に除去することが可能である。
【００１８】
なお、洗浄時にスポンジボールにてしごき落とされた温泉成分やその他の異物も、セパレータの浴槽側に設けた方向切替弁の操作にて、全て排水管へ流し込み除去することができ、更に、洗浄後に残存した温泉成分の一部が脱落した場合でも、方向切替弁を開放しない限り、温泉成分の固形物を浴槽内に混入させることはない。
【発明の効果】
【００１９】
本発明によれば、温泉を熱交換技術によって減温することにより温泉成分を希釈することなく浴槽へ供給できると共に、源泉からの温泉の供給配管から熱交換チューブ及び浴槽までの温泉供給配管に付着した温泉成分が竪固に硬化しないうちに適宜洗浄することができる源泉減温システムを提供することできる。
【発明を実施するための最良の形態】
【００２０】
図１は、本発明の配管洗浄機能を有する源泉減温システムを示す系統図である。図１において、源泉ポンプ１０にて汲み上げられた５０℃以上の源泉２７は、その安定供給のため一旦温泉槽９へ貯えられる。次いで、５０℃以上の源泉を供給温度４３℃の温泉として浴槽３０に減温するため熱交換換器２０を用いられ、１９℃の地下水を冷却水として冷却水供給配管３１によって熱交換換器２０に供給することにより減温される。よって、源泉２７の成分が希釈されないまま、４３℃の良質の温泉を浴槽３０へ供給することが可能である。なお、温泉供給配管５ａ，５ｂは、熱交換換器２０の入口及び出口にて、好ましくは、保守点検のためにバイパス配管２６を設け、さらにストップバルブ２２を備えることができる。温度計３３により浴槽３０に供給する温泉の温度を測定し、４３℃の適温の温泉が供給されるように冷却水及び源泉からの温泉の供給をコントロールすることができる。又、図１には図示されていないが、減温された温泉は浴槽３０に供給される前に一旦タンクに貯蔵されて、安定した温泉の供給を行うことが好ましい。
【００２１】
一方、冷却水ポンプ１７で汲み上げられた１９℃の地下水２８は、ストップバルブ１８及び流量調整弁１９を介し、冷却水として熱交換換器２０に供給される。よって、温泉槽９から温泉供給ポンブ６にて送り込まれた５０℃以上の源泉２７と熱交換換の結果、地下水２８は２６℃の温水２９に昇温され、畜熱水槽１１に一時的に備蓄される。更に、必要に応じて温水ポンプ１４を起動し、貯湯槽１２に貯えられる。
【００２２】
また、放熱その他の要因にて貯湯槽１２の温度が下がり過ぎた場合、ボイラー１３への循環回路を具備し、ボイラー１３にて加熱された温水がボイラー循環ポンプ１６を起動して貯湯槽１２に供給され追い炊き昇温も可能である。貯湯槽１２からはカランやシャワー等２５に対する適温４３℃の温水が上がり湯循環ポンプ１５によって行なわれる。なお、冷却水ポンプ１７及びストップバルブ１８間にバイパス配管２１を設け、必要に応じて地下水２８を直接貯湯槽１２へ供給することができる。
【００２３】
本実施例のシステムにより、５０℃以上の源泉２７の成分の希釈を行うことなく４３℃の良質な温泉を浴槽３０へ供給でき、且つ、源泉の熱エネルギーを地下水２８又は温水２９の昇温に活用し、更にボイラー循環ポンプ１６とボイラー１３による追い炊き昇温にて、４３℃の上がり湯を十分に調達することができる。
【００２４】
一方、熱交換換器２０のチューブないし温泉供給配管５ａ及び５ｂの洗浄に際しては、先ず、方向切替弁８をブロックすることにより浴槽３０への温泉の供給と排水管２４ａへの流通をストップさせる。次いで、洗浄循環ポンプ１を起動する。洗浄循環ポンプ１の吸込側の温泉（以下流体と呼ぶ）は、或るヘッドを持って、吐出側へ送られる。同時にスポンジボール回収器２の中で待機中のやや硬めの樹脂製のスポンジボール３はバルブを開いて開放することにより、循環配管４ａを経て、温泉成分の付着が著しい温泉供給配管５ａ、即ち、温泉供給ポンプ６の吐出側へ到達する。更に、スポンジボール３は温泉と共に温泉供給配管５ａ及び熱交換チューブ３２並びに温泉供給配管５ｂの中をポンプ吐出力による流れに乗じて高速で貫通し、ボールセパレータ７及び循環配管４ｂを経て、再び洗浄循環ポンプ１の吸込口ヘ回送される。
【００２５】
所定の時間、スポンジボール３の循環を行った後、方向切替弁８を浴槽３０への温泉の供給をストップさせて排水管２４ａに流通させる切り替えを行うことにより源泉からの温泉が供給されると共に、ボールセパレータ７によってしごき落とされた温泉成分の付着物と共に温泉の一部が分離されて排水管２４ａに排出され、残りがスポンジボール３と共に洗浄循環ポンプ１にてスポンジボール回収器２に流れ循環する。洗浄作業が終了した段階で、スポンジボール回収器２に設けられたバルブを閉じることによりスポンジボール回収器２にてスポンジボール３が回収されて温泉の流通がストップするので、その後に方向切替弁８を浴槽３０への温泉の供給に切り替え、浴槽３０への温泉の供給を行う。
【００２６】
この様にして、洗浄循環水ポンプ１の吐出力にて温泉と共に押し流されたスポンジボール３は、洗浄ゾーンとも言うべき温泉成分の付着が著しい温泉供給配管５ａ、５ｂ及び熱交換チューブ３２内を高速で貫通する。この高速でのスポンジボール３の流れによって、スポンジボール３と洗浄ゾーンの配管内面に摺動摩擦が生じ、配管内面に付着した温泉成分をしごき落とすことができる。しかも、本実施例による洗浄作業は、簡単な押しボタン操作で実施できるようにすることができるので、付着した温泉成分が堅固に硬化しない内に適宜に行うことができ、付着した温泉成分を容易に除去することができる。このような洗浄作業は１日１回３０分程度毎日行うことにより温泉成分を配管内に閉塞させることなく安定して温泉を浴槽３０に供給させることができる。
【００２７】
本実施例のスポンジボール回収器２は、容器内にスポンジボール３の直径より小さい直径の貫通孔を多数有するロート状フィルタが流れの方向に対して先細りに配置され、その先細りの先端にスポンジボール３の直径より大きい内径の貫通孔を有し、その貫通孔にはバルブが設けられ、バルブを閉じることによりスポンジブールの回収が行われる。又、ボールセパレータ７は容器内にスポンジボール３の直径より小さい直径の貫通孔を多数有するロート状フィルタが流れの方向に対して先細りに配置され、その先細りの先端にスポンジボール３の直径より大きい内径の配管が洗浄循環ポンプ１に接続されている。
【００２８】
又、洗浄作業として、源泉２７からの温泉を常に供給しながらセパレータ７にて洗浄によってしごき落とされた温泉成分の付着物と共に温泉の一部を排水管２４ａに排水し、残りをスポンジボール３と共に洗浄循環ポンプ１にてスポンジボール回収器２に流れ循環する方法と、源泉２７からの温泉の供給と停止を適宜組み合わせ、温泉が供給されている時は排水管２４ａへの排水を行い、温泉の供給が停止している時は排水管２４ａへの排水を停止して同様に行う方法がある。
【００２９】
更に、温泉成分の付着物は回収して温泉成分として使用することができる。更に、洗浄作業中は、熱交換換器２０への地下水２８の供給を行い、その熱を有効に回収することも、又、熱交換換器２０への地下水２８の供給を行わずに源泉の温度の高温のままで行うこともできる。
【００３０】
なお、本実施例による温泉供給配管洗浄システムにおいて、スポンジボール３にてしごき落とされた温泉成分は、ボールセパレータ７の浴槽側に設けた方向切替弁８の操作にて、全て排水管２４ａへ流し込み除去される。また、洗浄後に残存した温泉成分の一部が脱落した場合も、方向切替弁８を開放しない限り、残存付着物は浴槽に混入されることはない。
【００３１】
以上のように、本実施例によれば、温泉を熱交換技術によって減温すると共に、源泉からの温泉の供給配管から熱交換チューブ及び浴槽までの温泉供給配管に付着した温泉成分が竪固に硬化しないうちに適宜洗浄することができる源泉減温システムを提供することできる。
【００３２】
更に、本実施例によれば、高温の源泉を冷水に混ぜることなく減温させ、その減温した熱エネルギーをカランやシャワー等の温水昇温に流用できると共に、温泉成分を希釈することなく浴槽へ供給でき、更に、熱交換チューブ及び温泉供給配管の付着物を硬い固化物とならないうちに洗浄し、浴湯を汚さず、固形物となった温泉成分を浴槽内に混入させることなく配管内洗浄が可能な源泉減温システムを提供することできる。
【図面の簡単な説明】
【００３３】
【図１】本発明の配管洗浄機能を有する源泉減温システムの系統図である。
【符号の説明】
【００３４】
１…洗浄循環水ポンプ、２…スポンジボール回収器、３…スポンジボール、４ａ，４ｂ…循環配管、５ａ，５ｂ…温泉供給配管、６…温泉供給ポンプ、７…ボールセパレータ、８…方向切替弁、９…温泉槽、１０…源泉ポンプ、１１…蓄熱水槽、１２…貯湯槽、１３…ボイラー、１４…温水ポンプ、１５…上がり湯循環ポンプ、１６…ボイラー循環ポンプ、１７…冷却水ポンプ、１８…ストップバルブ、１９…流量調整弁、２０…熱交換換器、２１…バイパス配管、２２…ストップバルブ、２３…ストップバルブ、２４ａ，２４ｂ…排水管、２５…シャワー、２６…バイパス配管、２７…源泉、２８…地下水、２９…温水、３０…浴槽、３１…冷却水供給配管、３２…熱交換チュ−ブ、３３…温度計。
【図１】
2005221190.tif 000003